(57)【要約】【課題】熱交換器組立体を提供すること。【解決手段】熱交換器組立体は、隆起端および窪み端を有する折り畳み式フィンコアと、折り畳み式フィンコアの隆起端の周りに配置された第１の端部プレートと、折り畳み式フィンコアの窪み端の周りに配置された第２の端部プレートとを含むことができ、第１の端部プレートおよび第２の端部プレートは、第１の端部プレートおよび第２の端部プレート上に複数の突出部を含む。【選択図】図１
2014169855.tif 000002
【特許請求の範囲】
【請求項１】
熱交換器組立体であって、
折り畳み式フィンコアを備え、
前記折り畳み式フィンコアは、隆起端および窪み端を備え、
前記折り畳み式フィンコアの前記隆起端の周りに配置された第１の端部プレートと、
前記折り畳み式フィンコアの前記窪み端の周りに配置された第２の端部プレートとを備え、
前記第１の端部プレートおよび前記第２の端部プレートは、前記第１の端部プレートおよび前記第２の端部プレート上に複数の突出部を備える熱交換器組立体。
【請求項２】
前記折り畳み式フィンコアは、熱伝導性材料の連続シートを備える請求項１記載の熱交換器組立体。
【請求項３】
前記折り畳み式フィンコアは、複数のフィン壁を備える請求項１記載の熱交換器組立体。
【請求項４】
前記複数のフィン壁は、前記複数のフィン壁の間に複数の隆起および複数の窪みを備える請求項３記載の熱交換器組立体。
【請求項５】
前記第１の端部プレートおよび前記第２の端部プレートは、平坦プレートであって、平坦プレート上に複数の突出部を有する、平坦プレートを備える請求項１記載の熱交換器組立体。
【請求項６】
前記折り畳み式フィンコアは、前記隆起端に第１の１／２の折り畳み式フィンを、また、前記窪み端に第２の１／２の折り畳み式フィンを備える請求項１記載の熱交換器組立体。
【請求項７】
前記第１の端部プレートおよび前記第２の端部プレートは、前記第１の１／２の折り畳み式フィンを収容するサイズに作られた第１の側部の最後から２番目の突出部および前記第２の１／２の折り畳み式フィンを収容するサイズに作られた第２の側部の最後から２番目の突出部を備える請求項６記載の熱交換器組立体。
【請求項８】
前記第１の端部プレートから前記第２の端部プレートまで延在する第１の側部プレートおよび第２の側部プレートをさらに備える請求項１記載の熱交換器組立体。
【請求項９】
前記第１の端部プレートおよび前記第２の端部プレートは、前記第１の側部プレートを収容するサイズに作られた第１の側部の最後の突出部および前記第２の側部プレートを収容するサイズに作られた第２の側部の最後の突出部を備える請求項８記載の熱交換器組立体。
【請求項１０】
前記折り畳み式フィンコアの周りに配置されたファンプレナムをさらに備える請求項１記載の熱交換器組立体。
【請求項１１】
空気−空気熱交換器を備える請求項１記載の熱交換器組立体。
【請求項１２】
熱交換器組立体の組立て方法であって、
第１の複数の突出部を有する第１の端部プレートを、折り畳み式フィンコアの隆起端の周りに配置するステップと、
前記第１の端部プレート上の第１の側部の最後の突出部内に第１の側部プレートを配置するステップと、
前記第１の端部プレート上の第２の側部の最後の突出部内に第２の側部プレートを配置するステップと、
第２の複数の突出部を有する第２の端部プレートを、前記折り畳み式フィンコアの窪み端、前記第１の側部プレート、および前記第２の側部プレートの周りに配置するステップと、
前記折り畳み式フィンコア、前記第１の端部プレート、前記第２の端部プレート、前記第１の側部プレート、前記第２の側部プレートを、フローベースの金属接合プロセスにおいて接合させるステップとを含む方法。
【請求項１３】
前記接合させるステップは、固定デバイスなしで実施される請求項１２記載の組立て方法。
【請求項１４】
前記接合させるステップは、前記第１の端部プレートおよび前記第２の端部プレートの周りに、ある量の充填材を流すことを含む請求項１２記載の組立て方法。
【請求項１５】
前記フローベースの金属接合プロセスは、ディップろう付けプロセスを含む請求項１２記載の組立て方法。
【請求項１６】
空気−空気熱交換器組立体であって、
折り畳み式フィンコアを備え、
前記折り畳み式フィンコアは、複数のフィン壁であって、複数のフィン壁の間に複数の隆起および複数の窪みを有する、複数のフィン壁を備え、
前記折り畳み式フィンコアは、隆起端および窪み端を備え、
前記折り畳み式フィンコアの前記隆起端の周りに配置された第１の端部プレートと、
前記折り畳み式フィンコアの前記窪み端の周りに配置された第２の端部プレートとを備え、
前記第１の端部プレートおよび前記第２の端部プレートは、前記折り畳み式フィンコアの前記複数の隆起および前記複数の窪みを収容するために前記第１の端部プレートおよび前記第２の端部プレート上に複数の突出部を備える空気−空気熱交換器組立体。
【請求項１７】
前記折り畳み式フィンコアは、前記窪み端に第１の１／２の折り畳み式フィンを、また、前記隆起端に第２の１／２の折り畳み式フィンを備える請求項１６記載の空気−空気熱交換器組立体。
【請求項１８】
前記第１の端部プレートおよび前記第２の端部プレートは、前記第１の１／２の折り畳み式フィンを収容するサイズに作られた第１の側部の最後から２番目の突出部および前記第２の１／２の折り畳み式フィンを収容するサイズに作られた第２の側部の最後から２番目の突出部を備える請求項１７記載の空気−空気熱交換器組立体。
【請求項１９】
液密バリアを提供するために、前記第１の端部プレートから前記第２の端部プレートまで延在する第１の側部プレートおよび第２の側部プレートをさらに備える請求項１６記載の空気−空気熱交換器組立体。
【請求項２０】
前記第１の端部プレートおよび前記第２の端部プレートは、前記第１の側部プレートを収容するサイズに作られた第１の側部の最後の突出部および前記第２の側部プレートを収容するサイズに作られた第２の側部の最後の突出部を備える請求項１９記載の空気−空気熱交換器組立体。
【発明の詳細な説明】
【技術分野】
【０００１】
本出願は、一般に、熱交換器組立体に関し、より詳細には、端部プレートであって、端部プレート上に複数の突出部を有する、端部プレートを有する折り畳み式フィン空気−空気熱交換器組立体に関する。
【背景技術】
【０００２】
２つ以上の媒体間で熱を交換するための多くの異なるタイプの熱交換器の設計が知られている。さらに、あるタイプの熱交換器は、あるタイプの用途によりよく適する。たとえば、発電プラント制御システムおよび同様なものなどの電子制御システムは、高密度の電気コンポーネントの使用を仮定すれば、比較的高い運転温度を有する場合がある。空気−空気熱交換器は、こうしたコントロールを効率的に冷却するのに有効であることがわかった。
【０００３】
１つのタイプの空気−空気熱交換器は、折り畳み式フィン熱交換器である。折り畳み式フィン熱交換器は、反復する「Ｕ状(U-Shaped)」プロファイルを生成するために、熱伝導性材料の連続シートを折り畳むことによって形成することができる。こうした折り畳み式フィン熱交換器は、効率的な熱交換を提供することができるが、こうした熱交換器内での種々のコンポーネントの組立て、接合、およびハンドリングにおいて問題が存在する場合がある。具体的には、外側固定具が、ディップろう付けまたは他のタイプのフローベースの金属接合のために必要とされる場合がある。こうした固定具の使用は、製造プロセスおよび組立てプロセスにコストおよび複雑さを付加する場合がある。
【０００４】
したがって、改良型熱交換器組立体およびそれを構成する方法についての欲求が存在する。具体的には、簡略化された組立て方法および改善された構造的剛性を有する改良型折り畳み式フィン空気−空気熱交換器についての欲求が存在する。
【先行技術文献】
【特許文献】
【０００５】
【特許文献１】米国特許第８１５７２６６号公報
【発明の概要】
【課題を解決するための手段】
【０００６】
したがって、本出願およびその結果の特許は、熱交換器組立体を提供する。熱交換器組立体は、隆起端および窪み端を有する折り畳み式フィンコアと、折り畳み式フィンコアの隆起端の周りに配置された第１の端部プレートと、折り畳み式フィンコアの窪み端の周りに配置された第２の端部プレートとを含むことができ、第１の端部プレートおよび第２の端部プレートは、第１の端部プレートおよび第２の端部プレート上に複数の突出部を含む。
【０００７】
本出願およびその結果の特許は、熱交換器組立体を組み立てる方法をさらに提供する。方法は、第１の数の突出部を有する第１の端部プレートを、折り畳み式フィンコアの隆起端の周りに配置するステップと、第１の端部プレート上の第１の側部の最後の突出部内に第１の側部プレートを配置するステップと、第１の端部プレート上の第２の側部の最後の突出部内に第２の側部プレートを配置するステップと、第２の数の突出部を有する第２の端部プレートを、折り畳み式フィンコアの窪み端、第１の側部プレート、および第２の側部プレートの周りに配置するステップと、折り畳み式フィンコア、第１の端部プレート、第２の端部プレート、第１の側部プレート、第２の側部プレートを、フローベースの金属接合プロセスにおいて接合させるステップとを含むことができる。
【０００８】
本出願およびその結果の特許は、空気−空気熱交換器組立体をさらに提供する。空気−空気熱交換器組立体は、折り畳み式フィンコアを含み、折り畳み式フィンコアは、複数のフィン壁であって、複数のフィン壁の間に複数の隆起および複数の窪みを有する、複数のフィン壁、隆起端、および窪み端を有し、折り畳み式フィンコアの隆起端の周りに配置された第１の端部プレートと、折り畳み式フィンコアの窪み端の周りに配置された第２の端部プレートとを含むことができる。第１の端部プレートおよび第２の端部プレートは共に、折り畳み式フィンコアの隆起および窪みを収容するために第１の端部プレートおよび第２の端部プレート上に複数の突出部を含む。
【０００９】
本出願およびその結果の特許のこれらのまた他の特徴および改善は、いくつかの図面および添付の特許請求の範囲に関連して考えられるときに以下の詳細な説明を検討することによって当業者に明らかになるであろう。
【図面の簡単な説明】
【００１０】
【図１】本明細書で述べることができる熱交換器組立体の斜視図である。
【図２】図１の熱交換器組立体のさらなる斜視図である。
【図３】図１の熱交換器組立体と共に使用するための折り畳み式フィンコアの側面平面図である。
【図４】図１の熱交換器組立体と共に使用することができる端部プレートの上部平面図である。
【図５】図４の端部プレートの側面平面図である。
【図６】図４の端部プレート上の突出部の側面平面図である。
【図７】図４の端部プレート上の最後から２番目の突出部および最後の突出部の側面図である。
【図８】図１の熱交換器組立体の隆起端の斜視図である。
【図９】図１の熱交換器組立体の窪み端の斜視図である。
【図１０】側部プレートを有する図１の熱交換器組立体の隆起端の斜視図である。
【図１１】一対のファンプレナムを有する図１の熱交換器組立体の分解図である。
【発明を実施するための形態】
【００１１】
いくつかの図において同じ数字が同じ要素を指す図面をここで参照すると、図１および図２は、本明細書で述べることができる熱交換器組立体１００を示す。この例では、熱交換器組立体１００は、空気−空気交換器１１０、より具体的には、折り畳み式フィン空気−空気熱交換器１２０とすることができる。他のタイプの熱交換器組立体１００を本明細書で使用することができる。熱交換器組立体１００は、任意のサイズ、形状、または構成を有することができる。
【００１２】
熱交換器組立体１００は、折り畳み式フィンコア１３０を含むことができる。折り畳み式フィンコア１３０を、第１の端部プレート１４０、第２の端部プレート１５０、第１の側部プレート１６０、および第２の側部プレート１７０によって部分的に閉囲することができる。本明細書の要素の組合せは、折り畳み式フィンコア１３０の露出エリアの対向する面間に液密バリアを提供することができる。熱交換器組立体１００の個々のコンポーネントは、任意のサイズ、形状、または構成を有することができる。他のタイプのコンポーネントを同様に本明細書で使用することができる。
【００１３】
図３は、折り畳み式フィンコア１３０の誇張した図である。折り畳み式フィンコア１３０は、熱伝導性材料１９０の連続シート１８０から作ることができる。熱伝導性材料１９０は、アルミニウム、アルミニウムベース合金、または良好な熱伝達および構造的特徴を有する他のタイプの材料とすることができる。連続シート１８０を、任意の数の実質的に平行なフィン壁２００を形成するために折り畳むことができる。フィン壁２００は、平坦隆起２１０および窪み２２０を交互に配置することによって互いから離間することができる。フィン壁２００のそれぞれの対は、平坦隆起２１０によって離間されて、反復する「Ｕ形状(U-shape)」のためのそれぞれの窪み２２０を形成することができる。折り畳み式フィンコア１３０は、任意のサイズ、形状、または構成を有することができる。以下でより詳細に説明するように、折り畳み式フィンコア１３０は、第１の端部または隆起端２３０から第２の端部または窪み端２４０まで延在することができる。
【００１４】
図４および図５は、端部プレート１４０、１５０の一方の例を示す。第１の端部プレート１４０および第２の端部プレート１５０は、実質的に同一とすることができ、別々に述べられる必要はない。各端部プレート１４０、１５０は、平坦表面２５０であって、平坦表面２５０から延在する複数の突出部２６０を有する、平坦表面２５０を含むことができる。突出部２６０は、折り畳み式フィンコア１３０のフィン壁２００の形状およびフィンピッチに一致することができる。突出部２６０の１つの例を図７に示す。任意の数の突出部２６０を本明細書で使用することができる。端部プレート１４０、１５０の両端の最後から２番目の突出部２７０は、折り畳み式フィンコア１３０の外側の１／２の折り畳み式フィン２８０を収容するサイズに作ることができる。端部プレート１４０、１５０の両側の最後の突出部２９０は、側部プレート１６０、１７０を内部に収容するサイズに作ることができる。図７は、最後から２番目の突出部２７０および最後の突出部２９０の例を示す。他のコンポーネントおよび他の構成を、本明細書で使用することができる。
【００１５】
図８は、第１の端部プレート１４０の周りに配置された折り畳み式フィンコア１３０の隆起端２３０を示す。図９は、第２の端部プレート１５０の周りに配置された折り畳み式フィンコア１３０の窪み端２４０を示す。この例で示すように、窪み２２０およびフィン壁２００は、隆起端２３０において突出部２６０を囲むサイズに作られる。同様に、窪み２２０は、隆起２１０が突出部２６０間の空間を満たしながら窪み端２４０において突出部２６０を露出させる。図１０は、端部プレート１４０、１５０の最後の突出部２９０内への側部プレート１６０、１７０の付加を示す。側部プレート１６０、１７０は、全体として熱交換器組立体１００に対する機械的支持をさらに付加する。他のコンポーネントおよび他の構成を、本明細書で使用することができる。
【００１６】
使用時、端部プレート１４０、１５０を、折り畳み式フィンコア１３０の周りに配置することができる。具体的には、隆起端２３０および窪み端２４０を、端部プレート１４０上の突出部２６０内でかつそれに隣接して配置することができる。同様に、側部プレート１６０、１７０を、端部プレート１４０、１５０の最後の突出部２９０内に配置することができる。この構成は、コンポーネントが接合される前のハンドリングについて熱交換器組立体１００に構造的剛性を提供する。さらに、別個の固定具またはジッギングは、ボンディングプロセスについて必要とされない場合がある。具体的には、フィン壁２００および突出部２６０は、ボンディングプロセスの前およびボンディングプロセス中に物理的剛性を提供しながら、ディップろう付けまたは他のタイプのフローベースの金属接合のために、適切な金属ボンディング用のフラックス流およびボンディング用充填材料のための十分なクリアランスを持つよう離間することができる。他のタイプの金属接合手段を、本明細書で使用することができる。
【００１７】
組立て中の全体の構造的剛性は、外側の１／２の折り畳み式フィン２８０と共に使用するための最後から２番目の突出部２７０のサイズによってさらに改善される。同様に、側部プレート１６０、１７０は、折り畳み式フィンコア１３０に直接接合されることなく、機械的支持およびシールをさらに提供する。さらに、ボンディングプロセスは、良好な機械的シールを提供して、効率的な総合的運転のための物理的な気密バリアを提供する。
【００１８】
したがって、熱交換器組立体１００は、金属接合プロセスの前に自己固定または自己ジッギングを提供し、ボンディングプロセス後に構造的剛性を提供する。熱交換器組立体１００はまた、シール式熱交換器運転の場合に、物理的な気密バリアのために端部プレートをシールする手段を提供する。さらに、ボンディングプロセスは、より高い歩留まりの生産品質部品をもたらす。したがって、熱交換器組立体１００は、総合的な簡略化された製造プロセスによって効率的な熱交換を提供する。
【００１９】
熱交換器組立体１００は、多くの異なる用途を有することができる。たとえば、図１１は、一対のファンプレナム１００を通る空気の流れを強制するために、一対のファンプレナム１００を有する熱交換器組立体１００の使用を示す。ファンプレナム３００または他のタイプのデバイスを有する熱交換器組立体１００は、発熱する電気コンポーネント、および同様なものなどのコンポーネント３１０を冷却するために使用することができる。多くの他の用途を、本明細書で使用することができる。
【００２０】
前記が、本出願およびその結果の特許のある実施形態だけに関連することが明らかであるべきである。多数の変更および修正を、添付特許請求の範囲およびその均等物によって規定される本発明の一般的な精神および範囲から逸脱することなく、当業者によって本明細書で行うことができる。
【符号の説明】
【００２１】
１００  熱交換器組立体
１１０  空気−空気交換器
１２０  折り畳み式フィン空気−空気熱交換器
１３０  折り畳み式フィンコア
１４０  第１の端部プレート
１５０  第２の端部プレート
１６０  第１の側部プレート
１７０  第２の側部プレート
１８０  連続シート
１９０  熱伝導性材料
２００  フィン壁
２１０  平坦隆起
２２０  窪み
２３０  隆起端
２４０  窪み端
２５０  平坦表面
２６０  突出部
２７０  最後から２番目の突出部
２８０  １／２の折り畳み式フィン
２９０  最後の突出部
３００  ファンプレナム
３１０  コンポーネント
【図１】
2014169855.tif 000003
【図２】
2014169855.tif 000004
【図３】
2014169855.tif 000005
【図４】
2014169855.tif 000006
【図５】
2014169855.tif 000007
【図６】
2014169855.tif 000008
【図７】
2014169855.tif 000009
【図８】
2014169855.tif 000010
【図９】
2014169855.tif 000011
【図１０】
2014169855.tif 000012
【図１１】
2014169855.tif 000013